(57)【特許請求の範囲】
【請求項１】
側壁部材と天蓋部材とで構成する配管ダクトの端部に取り付けるために両側の側縁部にそれぞれ連結片を設けて、前記側壁部材に前記連結片を重ねた状態で、前記連結片と前記側壁部材とを連結部材によって連結自在な配管ダクトの端部蓋部材であって、
前記側壁部材に前記連結片を重ねた状態で、前記天蓋部材の外面側に二箇所で重ね配置する外嵌突出片部と、前記天蓋部材の内面側に重ね配置する内嵌突出片部とを上縁部に設けてある配管ダクトの端部蓋部材。
【請求項２】
前記端部蓋部材の上縁部を折曲げて前記外嵌突出片部と前記内嵌突出片部とを構成してある請求項１に記載の配管ダクトの端部蓋部材。
【発明の詳細な説明】
【０００１】
【発明の属する技術分野】
本発明は、側壁部材と天蓋部材とで構成する配管ダクトの端部に取り付けるために側縁部に連結片を設けて、前記側壁部材に前記連結片を重ねた状態で、前記連結片と前記側壁部材とを連結部材によって連結自在な配管ダクトの端部蓋部材（以下、単に「端部蓋部材」と称する）に関する。
【０００２】
【従来の技術】
従来、この種の端部蓋部材としては図３に示すものがあった。
ここでの配管ダクトＤは、例えば、クーラー配管或いは電気ケーブル等の各種の配管・長尺体を建物の屋上等に配設するためのものである。当該配管ダクトＤを用いることで、各種配管の配設作業を容易に行えることに加え、日光の紫外線や雨水から上記各種配管を保護することができる。
上記配管ダクトＤは、通常、隣接する配管ダクトＤどうしを連結して用いるが、所定の箇所においては、配管ダクトＤの端部を閉塞する必要が生じる場合がある。このような箇所には、図３に示すごとく配管ダクトＤの端部に端部蓋部材１を取付ける。
前記配管ダクトＤは、通常、一対の側壁部材２と、当該一対の側壁部材２に掛け渡される天蓋部材３とに対して取付ける。この取付けは、端部蓋部材１に設けた連結片１１を取付ネジ５を用いて前記側壁部材２に連結することで行う。当該連結片１１は、例えば前記端部蓋部材１の双方の側縁部１Ｃに夫々二箇所ずつ設けてある。前記側壁部材２および前記連結片１１には、前記取付ネジ５を挿通するための取付孔７を設けてある。前記連結片１１については、前記取付孔７の裏側に、前記取付ネジ５を螺着させるためのナット６を取り付けてある。
このように、従来の端部蓋部材１は、前記連結片１１を前記側壁部材２の内側に位置させ、側壁部材２の外方から取付ネジ５を挿通して前記ナット６に螺着することで、配管ダクトＤに取り付けられるものであった。
【０００３】
【発明が解決しようとする課題】
しかし、上記従来の端部蓋部材１によれば次のような問題があった。
上述のごとく、従来の端部蓋部材１は原則として前記連結片１１のみを用いて配管ダクトＤに取付けられるものであり、前記天蓋部材３の下面は、端部蓋部材１の上縁部１Ａに設けた載置片２０に当接あるいは近接させるに過ぎなかった。このため、天蓋部材３が上方に湾曲している場合には当該天蓋部材３と前記載置片２０との間に隙間が生じ、雨水あるいは日光の遮断を十分に行えないばかりか、強風時には天蓋部材３がバタついたり、さらには、外観が損なわれる等の不都合が生じていた。
また、端部蓋部材１を配管ダクトＤに連結する場合の作業性に注目すると、従来の構造では、例えば端部蓋部材１を配管ダクトＤに位置合わせして仮固定する際に、端部蓋部材１が配管ダクトＤの内部に入り過ぎる場合があった。このため、取付ネジ５を挿通するために、側壁部材２の取付孔７と連結片１１の取付孔７との位置合わせが煩雑となっていた。
【０００４】
本発明の目的は、このような従来技術の欠点を解消し、配管ダクトの端部を確実に閉塞することができ、取付けが容易な配管ダクトの端部蓋部材を提供することにある。
【０００５】
【課題を解決するための手段】
この目的を達成するための本発明の特徴構成を、図１および図２に示した例を参考に説明する。
（構成１）
本発明の端部蓋部材１は、請求項１に記載したごとく、側壁部材２に連結片１１を重ねた状態で、天蓋部材３の外面側に二箇所で重ね配置する外嵌突出片部１２と、前記天蓋部材３の内面側に重ね配置する内嵌突出片部１３とを上縁部１Ａに設けて構成した点に特徴を有する。
（作用・効果）
本構成であれば、外嵌突出片部と内嵌突出片部とが天蓋部材を挟持して、端部蓋部材の上縁部と天蓋部材との間の隙間をなくすことができ、天蓋部材と端部蓋部材との境界から雨水や日光が侵入すること、或いは、強風時に天蓋部材が振動すること等を有効に防止できる。
また、端部蓋部材を配管ダクトに取付ける場合には、外嵌突出片部の基端部が天蓋部材の端部に当接するから、端部蓋部材が配管ダクトの内部に入り込み過ぎることがなく、単に端部蓋部材が天蓋部材に当接するまで端部蓋部材を押し込めば配管ダクトに対する位置合わせを行うことができ、端部蓋部材の取付け作業が容易となる。
【０００６】
（構成２）
本発明の端部蓋部材１は、請求項２に記載したごとく、前記端部蓋部材１の上縁部１Ａを折曲げて前記外嵌突出片部１２と前記内嵌突出片部１３とを構成することができる。
（作用・効果）
本構成であれば、非常に簡単な構成でありながら上記構成１で示した効果を奏することができる。
【０００７】
尚、上記課題を解決するための手段の説明中、図面を参照し、図面との対照を便利にするために符号を記すが、当該記入により本発明が添付図面の構成に限定されるものではない。
【０００８】
【発明の実施の形態】
以下に本発明の実施例を図１および図２に基づいて説明する。
本発明に係る端部蓋部材１を取付ける配管ダクトＤは以下の構成を有する。
当該配管ダクトＤは、主に一対の側壁部材２と、当該一対の側壁部材２に対して着脱自在に取付け可能な天蓋部材３、さらに、前記一対の側壁部材２どうしを連結する複数の配管支持部材４とで構成される。前記配管支持部材４は、配管ダクトＤの内部に敷設されるクーラー用配管あるいは電気ケーブル等の各種配管を載置する機能も有する。
側壁部材２は、上縁部１Ａおよび下縁部１Ｂを折り曲げて形成してある。前記上縁部１Ａは天蓋部材３の取り付け部として用い、下縁部１Ｂは配管支持部材４の取り付け部として用いる。側壁部材２と天蓋部材３との取付け、あるいは、側壁部材２と配管支持部材４との取付けは、例えば、取付ネジ５およびナット６を用いて行う。そのために、前記上縁部１Ａおよび前記下縁部１Ｂには、取付ネジ５を挿通するための取付孔７を設けてある。前記ナット６は、例えば上縁部１Ａの取付孔７に溶接等によって取り付けるものであってもよいし、前記取付孔７に対して直に雌ねじを形成するものであってもよい。
前記側壁部材２あるいは前記天蓋部材３には、自身の強度を向上させるために、図１に示すごとくその長手方向Ｘに沿って段部８を設けてある。
配管ダクトＤは、通常、脚部材１０に載置した状態に、当該脚部材１０に固定する。この場合には、配管ダクトＤの前記下縁部１Ｂを挟持部材９と脚部材１０とで挟み込み、取付ネジ５を用いて固定する。
【０００９】
（端部蓋部材および取付け）
配管ダクトＤに対する端部蓋部材１の取り付けは、側壁部材２に天蓋部材３を取り付けた後に行ってもよいし、天蓋部材３を取り付ける前に行ってもよい。図１には、前者の例を示す。
端部蓋部材１は図１に示すごとく、両側の側縁部１Ｃに夫々二箇所ずつ前記連結片１１を有しており、さらに、上縁部１Ａに外嵌突出片部１２と内嵌突出片部１３とを設けてある。図１には、外嵌突出片部１２と内嵌突出片部１３とを二対設けた例を示している。外嵌突出片部１２を二箇所に設けたのは、天蓋部材３に形成した段部８を避けるためである。
当該端部蓋部材１を配管ダクトＤに取付けるには、夫々の連結片１１を側壁部材２の内側に挿入させ、二箇所の内嵌突出片部１３を天蓋部材３の内側に挿入するとともに、二箇所の外嵌突出片部１２を天蓋部材３の外側に位置させる。端部蓋部材１を取付けた状態を図２に示す。
これにより、内嵌突出片部１３と外嵌突出片部１２とが天蓋部材３を挟持するから、端部蓋部材１の上縁部１Ａと天蓋部材３との間に隙間が生じることがなくなる。よって、天蓋部材３と端部蓋部材１との境界から雨水や日光が侵入すること、或いは、強風時に天蓋部材３が振動すること等を有効に防止できる。
また、端部蓋部材１を配管ダクトＤに位置合わせする場合には、外嵌突出片部１２の基端部１２Ａが天蓋部材３の端縁３Ａに当接する。よって、端部蓋部材１が配管ダクトＤの内部に入り込み過ぎることがなく、単に端部蓋部材１が天蓋部材３に当接するまで端部蓋部材１を押し込めば配管ダクトＤに対する位置合わせを行うことができ、端部蓋部材１の取付け作業が容易となる。
【００１０】
図示は省略するが、外嵌突出片部１２及び内嵌突出片部１３を有することは、天蓋部材３を最後に取り付ける場合にも有効である。つまり、双方の側壁部材２に先ず端部蓋部材１を取り付けておき、その後から天蓋部材３を取り付ける場合には、天蓋部材３の端縁３Ａを前記外嵌突出片部１２と内嵌突出片部１３との間に挿入し、天蓋部材３の端縁３Ａが外嵌突出片部１２の基端部１２Ａに当接するまで天蓋部材３を押し込めばよい。よって、天蓋部材３の端縁３Ａの位置合わせが容易であり、特に、鉛直方向に配置した配管ダクトＤの下端部に設けた端部蓋部材１に天蓋部材３を取り付ける場合には、作業者が天蓋部材３を持ち上げ支持しておく必要がなく、天蓋部材３の取付け作業が極めて容易なものとなる。
【００１１】
尚、内嵌突出片部１３と外嵌突出片部１２との数は二対に限られるものではなく、夫々少なくとも一つ設けておけばよい。要は、端部蓋部材１の上縁部１Ａと天蓋部材３との間に極端な隙間が生じないものであれば、その構成は上記の内嵌突出片部１３および外嵌突出片部１２の形状に拘束されるものではなく、その数も任意である。
【００１２】
（効果）
以上のごとく、本発明に係る配管ダクトＤの端部蓋部材１を用いることで、配管ダクトＤへの取付けが極めて容易となり、配管ダクトＤの端部を確実に閉塞することができるようになった。
【図面の簡単な説明】
【図１】本発明に係る端部蓋部材の取付け態様を示す分解斜視図
【図２】本発明に係る端部蓋部材を取り付けた状態を示す斜視図
【図３】従来の端部蓋部材の取付け態様を示す分解斜視図
【符号の説明】
１    端部蓋部材
１Ａ  上縁部
１Ｃ  側縁部
２    側壁部材
３    天蓋部材
１１  連結片
１２  外嵌突出片部
１３  内嵌突出片部
Ｄ    配管ダクト
【図１】
0003585361.tif 000002
【図２】
0003585361.tif 000003
【図３】
0003585361.tif 000004